(57)【特許請求の範囲】
【請求項１】
表示部と、
前記表示部の端部領域の少なくとも１つに文字入力アプリケーションを対応付けて記憶する記憶部と、
前記文字入力アプリケーションと異なる他のアプリケーションの画面が前記表示部に表示されている状態において、前記表示部の所定領域を起点とする接触が所定軌跡を描くと、当該接触後に手書き文字又は手書き画像の入力を可能とし、
入力された前記手書き文字又は手書き画像が前記表示部に表示されている状態において、当該手書き文字又は手書き画像を前記端部領域へ移動させる指示が行なわれると、当該端部領域に対応付けて記憶される前記文字入力アプリケーションへ当該手書き文字又は手書き画像を入力させる制御部と、を備える携帯電子機器。
【請求項２】
表示部と、
前記表示部の端部領域の少なくとも１つに文字入力アプリケーションを対応付けて記憶する記憶部と、
前記文字入力アプリケーションと異なる他のアプリケーションの画面が前記表示部に表示されている状態において、前記表示部の所定領域を起点とする接触による手書き文字又は手書き画像の入力を可能とし、
入力された前記手書き文字又は手書き画像が前記表示部に表示されている状態において、当該手書き文字又は手書き画像を前記端部領域へ移動させる指示が行なわれると、当該端部領域に対応付けて記憶される前記文字入力アプリケーションへ当該手書き文字又は手書き画像を入力させる制御部と、を備える携帯電子機器。
【請求項３】
前記制御部は、前記手書き文字又は手書き画像を前記端部領域へ移動させる指示が行なわれた後に、前記手書き文字又は手書き画像の選択が解除されると、前記端部領域に対応付けて記憶される前記文字入力アプリケーションへ入力させる請求項１又は２に記載の携帯電子機器。
【請求項４】
前記制御部は、前記手書き文字又は手書き画像を前記端部領域へ移動させる指示が行なわれた後に、前記手書き文字又は手書き画像の選択が維持された状態において、前記端部領域に対応付けて記憶される前記文字入力アプリケーションに対応するアイコンを前記表示部に表示させる請求項１から３のいずれか一項に記載の携帯電子機器。
【請求項５】
表示部と、
前記表示部の所定方向のいずれかと文字入力アプリケーションとを対応付けて記憶する記憶部と、
前記文字入力アプリケーションと異なる他のアプリケーションの画面が前記表示部に表示されている状態において、前記表示部の所定領域を起点とする接触が所定軌跡を描くと、当該接触後に手書き文字又は手書き画像の入力を可能とし、
入力された前記手書き文字又は手書き画像が前記表示部に表示されている状態において、当該手書き文字又は手書き画像を前記所定方向へ移動させる指示が行なわれると、当該所定方向に対応付けて記憶される前記文字入力アプリケーションへ当該手書き文字又は手書き画像を入力させる制御部と、を備える携帯電子機器。
【請求項６】
表示部と、
前記表示部の所定方向のいずれかと文字入力アプリケーションとを対応付けて記憶する記憶部と、
前記文字入力アプリケーションと異なる他のアプリケーションの画面が前記表示部に表示されている状態において、前記表示部の所定領域を起点とする接触による手書き文字又は手書き画像の入力を可能とし、
入力された前記手書き文字又は手書き画像が前記表示部に表示されている状態において、当該手書き文字又は手書き画像を前記所定方向へ移動させる指示が行なわれると、当該所定方向に対応付けて記憶される前記文字入力アプリケーションへ当該手書き文字又は手書き画像を入力させる制御部と、を備える携帯電子機器。
【請求項７】
前記制御部は、前記手書き文字又は手書き画像を前記所定方向へ移動させる指示が行なわれた後に、前記手書き文字又は手書き画像の選択が解除されると、前記所定方向に対応付けて記憶される前記文字入力アプリケーションへ入力させる請求項５又は６に記載の携帯電子機器。
【請求項８】
前記制御部は、前記手書き文字又は手書き画像を前記所定方向へ移動させる指示が行なわれた後に、前記手書き文字又は手書き画像の選択が維持された状態において、前記所定方向に対応付けて記憶される前記文字入力アプリケーションに対応するアイコンを前記表示部に表示させる請求項５から７のいずれか一項に記載の携帯電子機器。
【請求項９】
前記制御部は、起動した前記文字入力アプリケーションが終了した場合に、前記手書き文字又は手書き画像が選択される直前に表示されていたアプリケーションを前記表示部に表示させる請求項１から８のいずれか一項に記載の携帯電子機器。
【請求項１０】
前記表示部の表面に対応して配され、前記表示部への接触を検出する検出部を更に備え、
前記制御部は、入力された前記手書き文字又は手書き画像に対する接触が維持された状態において、当該接触の移動が前記検出部により検出されると、前記手書き文字又は手書き画像を移動させる指示を行なわせる請求項１から９のいずれか一項に記載の携帯電子機器。
【請求項１１】
前記検出部により前記表示部への接触を検出して手書き文字を入力させる手書き文字入力部を更に備え、
前記表示部に表示されている手書き文字又は手書き画像は、前記手書き文字入力部により入力された手書き文字又は手書き画像である請求項１０に記載の携帯電子機器。
【請求項１２】
前記検出部により前記表示部への接触を検出して前記表示部に前記手書き文字を入力させる領域を指定する領域指定部を更に備え、
前記手書き文字入力部は、前記領域指定部により指定された領域内に手書き文字を入力させる請求項１０に記載の携帯電子機器。
【請求項１３】
文字又は画像を表示部に表示するステップと、
文字入力アプリケーションと異なる他のアプリケーションの画面が前記表示部に表示されている状態において、前記表示部の所定領域を起点とする接触が所定軌跡を描くと、当該接触後に手書き文字又は手書き画像の入力を可能とするステップと、
入力された前記手書き文字又は手書き画像が前記表示部に表示されている状態において、当該手書き文字又は手書き画像を前記表示部の端部領域へ移動させる指示が行なわれると、当該端部領域に対応付けて記憶される前記文字入力アプリケーションへ当該手書き文字又は手書き画像を入力させるステップと、を備える携帯電子機器の制御方法。
【請求項１４】
文字又は画像を表示部に表示するステップと、
文字入力アプリケーションと異なる他のアプリケーションの画面が前記表示部に表示されている状態において、前記表示部の所定領域を起点とする接触が所定軌跡を描くと、当該接触後に手書き文字又は手書き画像の入力を可能とするステップと、
入力された前記手書き文字又は手書き画像が前記表示部に表示されている状態において、当該手書き文字又は手書き画像を前記表示部の所定方向へ移動させる指示が行なわれると、当該所定方向に対応付けて記憶される前記文字入力アプリケーションへ当該手書き文字又は手書き画像を入力させるステップと、を備える携帯電子機器の制御方法。
【請求項１５】
表示部を備える携帯電子機器のコンピュータを機能させるための制御プログラムであって、
前記コンピュータに、
文字又は画像を前記表示部に表示させるステップと、
文字入力アプリケーションと異なる他のアプリケーションの画面が前記表示部に表示されている状態において、前記表示部の所定領域を起点とする接触が所定軌跡を描くと、当該接触後に手書き文字又は手書き画像の入力を可能とするステップと、
入力された前記手書き文字又は手書き画像が前記表示部に表示されている状態において、当該手書き文字又は手書き画像を前記表示部の端部領域へ移動させる指示が行なわれると、当該端部領域に対応付けて記憶される前記文字入力アプリケーションへ当該手書き文字又は手書き画像を入力させるステップと、を実行させるための制御プログラム。
【請求項１６】
表示部を備える携帯電子機器のコンピュータを機能させるための制御プログラムであって、
前記コンピュータに、
文字又は画像を前記表示部に表示させるステップと、
文字入力アプリケーションと異なる他のアプリケーションの画面が前記表示部に表示されている状態において、前記表示部の所定領域を起点とする接触が所定軌跡を描くと、当該接触後に手書き文字又は手書き画像の入力を可能とするステップと、
入力された前記手書き文字又は手書き画像が前記表示部に表示されている状態において、当該手書き文字又は手書き画像を前記表示部の所定方向へ移動させる指示が行なわれると、当該所定方向に対応付けて記憶される前記文字入力アプリケーションへ当該手書き文字又は手書き画像を入力させるステップと、を実行させるための制御プログラム。
【発明の詳細な説明】
【技術分野】
【０００１】
本発明は、表示部を有する携帯電子機器、携帯電子機器の制御方法及びプログラムに関する。
【背景技術】
【０００２】
従来、表示部と操作部とを有する携帯電子機器は、表示部に待ち受け画面が表示されている状態で操作部を操作すると、操作部に割り当てられている文字を入力して、表示部に表示する。そして、携帯電子機器は、文字が入力された状態で、ユーザが所望の文字入力アプリケーションを選択すると、選択された文字入力アプリケーションに入力された文字を入力させた状態で起動させていた（例えば、特許文献１参照）。
【０００３】
一方、表示部に接触することにより所望のアプリケーションの起動や文字の入力を行う携帯電子機器が提案されている（例えば、特許文献２参照）。
【先行技術文献】
【特許文献】
【０００４】
【特許文献１】特開２００７−２００２４３号公報
【特許文献２】特開平０９−０１８５６６号公報
【発明の概要】
【発明が解決しようとする課題】
【０００５】
しかし、特許文献１及び２に記載の携帯電子機器では、所望の文字入力アプリケーションを、複数の文字入力アプリケーションの中から選択する必要があり、操作が煩わしい場合があった。
【０００６】
本発明は、所望の文字入力アプリケーションをより容易に選択することが可能な携帯電子機器、携帯電子機器の制御方法及びプログラムを提供することを目的とする。
【課題を解決するための手段】
【０００７】
本発明に係る携帯電子機器は、上記課題を解決するために、表示部と、前記表示部の端部領域のいずれかと文字入力アプリケーションとを対応付けて記憶する記憶部と、前記表示部に文字又は画像が表示されている状態において、前記文字又は前記画像のいずれかが選択された後に、前記文字又は前記画像を前記端部領域へ移動させる指示が行なわれると、当該端部領域に対応付けて記憶される前記文字入力アプリケーションを起動させて、選択された前記文字又は前記画像を入力させる制御部と、を備える携帯電子機器。
【０００８】
本発明に係る携帯電子機器は、上記課題を解決するために、表示部と、前記表示部の所定方向のいずれかと文字入力アプリケーションとを対応付けて記憶する記憶部と、前記表示部に文字又は画像が表示されている状態において、前記文字又は前記画像のいずれかが選択された後に、前記文字又は前記画像を前記所定方向へ移動させる指示が行なわれると、当該所定方向に対応付けて記憶される前記文字入力アプリケーションを起動させて、選択された前記文字又は前記画像を入力させる制御部と、を備える携帯電子機器。
【０００９】
また、前記制御部は、前記文字又は前記画像を前記端部領域へ移動させる指示が行なわれた後に、前記文字又は前記画像の選択が解除されると、前記端部領域に対応付けて記憶される前記文字入力アプリケーションを起動させることが好ましい。
【００１０】
また、前記制御部は、前記文字又は前記画像を前記所定方向へ移動させる指示が行なわれた後に、前記文字又は前記画像の選択が解除されると、前記所定方向に対応付けて記憶される前記文字入力アプリケーションを起動させることが好ましい。
【００１１】
また、前記制御部は、前記文字又は前記画像を前記端部領域へ移動させる指示が行なわれた後に、前記文字又は前記画像の選択が維持された状態において、前記端部領域に対応付けて記憶される前記文字入力アプリケーションに対応するアイコンを前記表示部に表示させることが好ましい。
【００１２】
また、前記制御部は、前記文字又は前記画像を前記所定方向へ移動させる指示が行なわれた後に、前記文字又は前記画像の選択が維持された状態において、前記所定方向に対応付けて記憶される前記文字入力アプリケーションに対応するアイコンを前記表示部に表示させることが好ましい。
【００１３】
また、前記制御部は、起動した前記文字入力アプリケーションが終了した場合に、前記文字又は前記画像が選択される直前に表示されていた文字又は画像を前記表示部に表示させることが好ましい。
【００１４】
また、前記携帯電子機器は、方向を指定するキーを更に備え、前記制御部は、選択された前記文字又は前記画像を前記キーの操作により移動させる指示を行なわせることが好ましい。
【００１５】
また、前記携帯電子機器は、前記表示部の表面に対応して配され、前記表示部への接触を検出する検出部を更に備え、前記制御部は、前記文字又は前記画像に対する接触が前記検出部により検出されると、当該文字又は当該画像を選択させ、選択された前記文字又は前記画像に対する接触が維持された状態において、当該接触の移動が前記検出部により検出されると、前記文字又は画像を移動させる指示を行なわせることが好ましい。
【００１６】
また、前記携帯電子機器は、前記検出部により前記表示部への接触を検出して手書き文字を入力させる手書き文字入力部を更に備え、前記表示部に表示されている文字又は画像は、前記手書き文字入力部により入力された文字又は画像であることが好ましい。
【００１７】
また、前記携帯電子機器は、前記検出部により前記表示部への接触を検出して前記表示部に前記手書き文字を入力させる領域を指定する領域指定部を更に備え、前記手書き文字入力部は、前記領域指定部により指定された領域内に手書き文字を入力させることが好ましい。
【００１８】
本発明に係る携帯電子機器の制御方法は、上記課題を解決するために、文字又は画像を表示部に表示するステップと、前記表示部に文字又は画像が表示されている状態において、前記文字又は前記画像のいずれかが制御部により選択されるステップと、前記文字又は前記画像が選択された後に、前記文字又は前記画像を前記表示部の端部領域へ移動させる指示が行なわれると、当該端部領域に対応付けて記憶される文字入力アプリケーションを前記制御部により起動させて、選択された前記文字又は前記画像を入力させるステップと、を備える。
【００１９】
本発明に係る携帯電子機器の制御方法は、上記課題を解決するために、文字又は画像を表示部に表示するステップと、前記表示部に文字又は画像が表示されている状態において、前記文字又は前記画像のいずれかが制御部により選択されるステップと、前記文字又は前記が選択された後に、前記文字又は前記画像を前記表示部の所定方向へ移動させる指示が行なわれると、当該所定方向に対応付けて記憶される文字入力アプリケーションを前記制御部により起動させて、選択された前記文字又は前記画像を入力させるステップと、を備える。
【００２０】
本発明に係るプログラムは、上記課題を解決するために、表示部を備える携帯電子機器のコンピュータを機能させるための制御プログラムであって、前記コンピュータに、文字又は画像を前記表示部に表示させるステップと、前記表示部に文字又は画像が表示されている状態において、前記文字又は前記画像のいずれかを選択させるステップと、前記文字又は前記画像が選択された後に、前記文字又は前記画像を前記表示部の端部領域へ移動させる指示が行なわれると、当該端部領域に対応付けて記憶される文字入力アプリケーションを起動させて、選択された前記文字又は前記画像を入力させるステップと、を実行させるための制御プログラム。
【００２１】
本発明に係るプログラムは、上記課題を解決するために、表示部を備える携帯電子機器のコンピュータを機能させるための制御プログラムであって、前記コンピュータに、文字又は画像を前記表示部に表示させるステップと、前記表示部に文字又は画像が表示されている状態において、前記文字又は前記画像のいずれかを選択させるステップと、前記文字又は前記画像が選択された後に、前記文字又は前記画像を前記表示部の所定方向へ移動させる指示が行なわれると、当該所定方向に対応付けて記憶される文字入力アプリケーションを起動させて、選択された前記文字又は前記画像を入力させるステップと、を実行させるための制御プログラム。
【発明の効果】
【００２２】
本発明によれば、所望の文字入力アプリケーションをより容易に選択することが可能な携帯電子機器、携帯電子機器の制御方法及びプログラムを提供することができる。
【図面の簡単な説明】
【００２３】
【図１】第１実施形態に係る携帯電話機の外観斜視図である。
【図２】携帯電話機の機能構成を示すブロック図である。
【図３】第１実施形態に係る表示部に表示される画面遷移例を示す図である。
【図４】タッチペンによるタッチパネルへの接触を検出部により検出する処理を示すフローチャートである。
【図５】アプリケーション制御部による処理を示すフローチャート（１）である。
【図６】アプリケーション制御部による処理を示すフローチャート（２）である。
【図７】アプリケーション制御部による処理を示すフローチャート（３）である。
【図８】アプリケーション制御部による処理を示すフローチャート（４）である。
【図９】第２実施形態に係る表示部に表示される画面例を示す図である。
【図１０】表示部の各端部領域に対応付けられている文字入力アプリケーションのアイコンを示す画面例である。
【図１１】図１０に示す各端部領域に対応付けられている文字入力アプリケーションの設定画面を示す画面例である。
【発明を実施するための形態】
【００２４】
＜第１実施形態＞
以下、本発明の実施の形態について説明する。まず、本発明の携帯電子機器の第１実施形態に係る携帯電話機１の基本構造について、図１を参照しながら説明する。図１は、第１実施形態に係る携帯電話機１の外観斜視図である。
【００２５】
携帯電話機１は、筺体２を備える。筺体２には、正面部に、タッチパネル１０と、マイク１３と、スピーカ１４とが配置される。
【００２６】
タッチパネル１０は、表示部１１と、検出部１２とを備える（図２参照）。表示部１１は、液晶表示パネル又は有機ＥＬ（エレクトロルミネッセンス）表示パネル等である。検出部１２は、表示部１１に対する携帯電話機１のユーザの指やタッチペン等の物体の接触を検出するセンサである。検出部１２には、表示部１１の表面に対応して配され、例えば、静電容量方式や抵抗膜方式等のセンサが利用可能である。なお、第１実施形態に係るタッチパネル１０は、後述するタッチペン１８（図３参照）による手書き文字の入力を検出可能な抵抗膜方式や電磁誘導方式、表面型静電容量方式であることが好ましい。
【００２７】
マイク１３は、携帯電話機１のユーザが通話時に発した音声を入力するために用いられる。
スピーカ１４は、携帯電話機１のユーザの通話相手が発した音声を出力するために用いられる。
【００２８】
続いて、図２を参照しながら、携帯電話機１の機能構成について説明する。図２は、携帯電話機１の機能構成を示すブロック図である。
【００２９】
携帯電話機１は、上述した、タッチパネル１０（表示部１１及び検出部１２）と、マイク１３と、スピーカ１４とを備える。また、携帯電話機１は、通信部１５と、記憶部１６と、制御部１７とを備える。
【００３０】
通信部１５は、メインアンテナ（図示省略）とＲＦ回路部（図示省略）とを備え、所定の連絡先に発信したり、通信したりする。通信部１５が発信する連絡先は、例えば、警察や消防といった緊急連絡先である。また、通信部１５が通信を行う通信先は、携帯電話機１と電話やメールの送受信を行う外部装置や、携帯電話機１がインターネットの接続を行う外部のｗｅｂサーバ等の外部装置等である。
【００３１】
通信部１５は、所定の使用周波数帯で外部装置と通信を行う。具体的には、通信部１５は、上記のメインアンテナによって受信した信号を復調処理し、処理後の信号を制御部１７に供給する。また、通信部１５は、制御部１７から供給された信号を変調処理し、上記のメインアンテナを介して外部装置（基地局）に送信する。
【００３２】
記憶部１６は、例えば、ワーキングメモリを含み、制御部１７による演算処理に利用される。また、記憶部１６は、携帯電話機１の内部で動作するアプリケーションやデータベースを１又は複数記憶する。なお、記憶部１６は、着脱可能な外部メモリを兼ねていてもよい。
【００３３】
制御部１７は、携帯電話機１の全体を制御しており、表示部１１及び通信部１５に対して制御を行う。
【００３４】
本実施形態の記憶部１６及び制御部１７は、一般的なコンピュータによって構成してもよい。一般的なコンピュータは、例えば、制御部１７として、中央処理装置（ＣＰＵ）を備え、記憶部１６として、メモリ（ＲＡＭ、ＲＯＭ）や、ハードディスク（ＨＤＤ）等を備える。このような一般的なコンピュータにおいて、制御部１７は、携帯電話機１を統括的に制御し、各種プログラムを記憶部１６から適宜読み出して実行することにより、上述した表示部１１、検出部１２、マイク１３、スピーカ１４及び通信部１５と協働し、本発明に係る各種機能を実現している。
【００３５】
本実施形態に係る携帯電話機１は、表示部１１に表示されている文字や画像等を利用してアプリケーションを起動させる機能を有している。以下、当該機能を実行させるための構成について説明する。
【００３６】
図２に示すように、制御部１７は、アプリケーション制御部１７１と、手書き文字入力部１７２と、領域指定部１７３と、を備える。
アプリケーション制御部１７１は、表示部１１に文字又は画像が表示されている状態において、文字又は画像のいずれかが選択された後に、文字又は画像を端部領域へ移動させる指示が行なわれると、端部領域に対応付けて記憶される文字入力アプリケーションを起動させて、選択された文字又は画像を入力させる。ここで、本実施形態に係る文字とは、平仮名文字、片仮名文字、漢字だけでなく、数字、英字、記号も含む。また、文字とは、一の文字だけでなく、文字列も含む。
【００３７】
手書き文字入力部１７２は、表示部１１への接触に応じて、手書き文字を表示部１１へ入力させる。具体的には、手書き文字入力部１７２は、タッチペン１８によって描かれた軌跡を検出部１２により検出する。手書き文字入力部１７２は、例えば、手書き文字認識用アプリケーションによって、検出された軌跡と手書き文字認識用データベースに記憶される文字とのパターンマッチングを行い、最も認識率の高い文字をテキストデータに変換する。ここで、手書き文字認識用データベースは、記憶部１６に記憶されており、手書き文字を認識するための各種情報を有している。また、手書き文字認識用アプリケーションは、記憶部１６に記憶されており、手書き文字を認識するためのアルゴリズムを有している。
【００３８】
領域指定部１７３は、表示部１１への接触に応じて、表示部１１に手書き文字を入力させる領域を指定する。具体的には、領域指定部１７３は、タッチペン１８によって表示部１１に描かれた軌跡を検出部１２により検出する。領域指定部１７３は、検出された軌跡によって囲まれる領域を、手書き文字認識用アプリケーションにより手書き文字を入力可能な領域として指定する。なお、領域指定部１７３は、タッチペン１８によって表示部１１に描かれた軌跡が特定の領域を囲んでいない場合には、手書き文字を入力させる領域を指定しない。
【００３９】
また、記憶部１６には、表示部１１の端部領域のいずれかと文字入力アプリケーションとを対応付けて記憶する。文字入力アプリケーションとしては、例えば、電子メールアプリケーション、メモ帳アプリケーション、テキスト編集用アプリケーション、ブラウザアプリケーション（例えば、検索するために文字入力が可能なブラウザアプリケーション）、Ｔｗｉｔｔｅｒ（登録商標）用アプリケーション等が挙げられる。
【００４０】
具体的には、記憶部１６には、例えば、表示部１１の右側の端部領域とメモ帳アプリケーションとが対応付けられ、表示部１１の左側の端部領域と電子メールアプリケーションとが対応付けられ、表示部１１の上側の端部領域とテキスト編集用アプリケーションとが対応付けられ、表示部１１の下側の端部領域とブラウザアプリケーションとが対応付けられる。ここで、表示部１１の端部領域それぞれは、表示部１１のいずれかの縁から表示部１１の中央へ向かって所定長さを有する領域である。例えば、表示部１１の右側の端部領域は、表示部１１の右側の縁から表示部１１の中央へ向かって所定長さを有する矩形状の領域である。
【００４１】
図３は、第１実施形態に係る表示部１１に表示される画面遷移例を示す図である。
図３の画面Ｄ１においては、ブラウザアプリケーションが起動しており、画像Ｆ１が表示部１１に表示されている。
【００４２】
図３の画面Ｄ１において、領域指定部１７３は、タッチペン１８によるピクト領域Ｐへの接触が検出部１２により検出された場合（画面Ｄ１）、手書き文字認識用アプリケーションを起動させて、タッチペン１８によって表示部１１に描かれた軌跡を検出部１２により検出する（画面Ｄ２）。領域指定部１７３は、検出された軌跡によって囲まれる領域を、手書き文字認識用アプリケーションにより手書き文字を入力可能な領域Ｒ１として指定する。このようにタッチペン１８による表示部１１への接触が検出される基点がピクト領域Ｐである場合に、領域指定部１７３による手書き文字を入力可能な領域Ｒ１として指定してもよい。
【００４３】
また、タッチペン１８による表示部１１への接触が検出される基点が表示部１１の縁である場合に、領域指定部１７３による手書き文字を入力可能な領域Ｒ１として指定してもよい。これにより、既に画面Ｄ１に表示されているブラウザアプリケーションに対応する接触の検出との競合を回避することが可能である。
【００４４】
手書き文字入力部１７２は、領域指定部１７３により指定された領域Ｒ１内において、タッチペン１８によって描かれた軌跡を検出部１２により検出する。
【００４５】
そして、手書き文字入力部１７２は、タッチペン１８によって表示部１１に描かれた軌跡が特定の範囲を囲むことにより、描かれた軌跡の範囲を確定させる（画面Ｄ３）。
【００４６】
画面Ｄ３において、アプリケーション制御部１７１は、手書き文字入力部１７２により手書き文字「あいうえ」が入力されている領域Ｒ１に対する接触が検出部１２により検出されることに応じて、認識された文字「あいうえ」を選択する。
【００４７】
画面Ｄ３において、アプリケーション制御部１７１は、領域指定部１７３により指定された領域Ｒ１がタッチペン１８の操作によって移動させる指示（いわゆるドラッグ）が行われると、タッチペン１８の操作に従って指定された領域Ｒ１が移動する（画面Ｄ４）。
【００４８】
そして、アプリケーション制御部１７１は、領域Ｒ１への選択が維持された状態において、領域指定部１７３により指定された領域Ｒ１がタッチペン１８の操作によって表示部１１の右側の端部領域Ｔ１へ移動させる指示（いわゆるドラッグ）が行われると、表示部１１の右側の端部領域Ｔ１対応付けて記憶されているメモ帳アプリケーションのアイコンＡ１、すなわち、メモ帳アプリケーションを起動させるためのランチャーが動的に表示される（画面Ｄ５）。
【００４９】
画面Ｄ５において、アプリケーション制御部１７１は、タッチペン１８による表示部１への接触が解除されたことが検出部１２により検出されると、すなわち、領域Ｒ１への選択が解除されると、右側の端部領域Ｔ１に対応付けて記憶される文字入力アプリケーションを起動させて、領域Ｒ１において認識された文字「あいうえ」を入力させる（画面Ｄ６）。
【００５０】
また、アプリケーション制御部１７１は、起動したメモ帳アプリケーションが終了した場合に、領域Ｒ１が選択される直前に表示されていた文字又は画像を表示部１１に表示させる（画面Ｄ１）。
【００５１】
また、画面Ｄ５において、アプリケーション制御部１７１は、メモ帳アプリケーションのアイコンＡ１が表示された状態で、タッチペン１８により領域Ｒ１を右側の端部領域Ｔ１外へ移動させると（画面Ｄ７）、画面Ｄ４と同様にタッチペン１８の操作に従って指定された領域Ｒ１が移動する状態に遷移し、かつメモ帳アプリケーションのアイコンＡ１の表示が解除される（画面Ｄ８）。
【００５２】
このように第１実施形態の携帯電話機１によれば、アプリケーション制御部１７１は、表示部１１に文字又は画像が表示されている状態において、文字のうち少なくともいずれかの文字又は画像（例えば、領域Ｒ１の文字「あいうえ」）が選択された後に、文字又は画像を端部領域（例えば、右側の端部領域Ｔ１）へ移動させる指示が行なわれると、端部領域に対応付けて記憶される文字入力アプリケーション（例えば、メモ帳アプリケーション）を起動させて、選択された文字又は画像を入力させる（画面Ｄ６）。これにより、ユーザは選択された文字又は画像を端部領域へ移動させる指示を行うことにより、端部領域に対応付けて記憶される文字入力アプリケーションを起動させて、選択された文字又は画像を入力させることができる。したがって、ユーザは簡易かつ直感的な操作により端部領域に対応付けて記憶される文字入力アプリケーションを選択することができる。
【００５３】
また、アプリケーション制御部１７１は、領域Ｒ１を端部領域Ｔ１へ移動させる指示が行なわれた後に、領域Ｒ１への選択が解除されると、端部領域Ｔ１に対応付けて記憶されるメモ帳アプリケーションを起動させる（画面Ｄ６）。したがって、携帯電話機１は、文字又は画像への選択が解除されることにより、端部領域に対応付けて記憶される文字入力アプリケーションを起動させるため、より直感的な操作で文字入力アプリケーションを起動させることができる。
【００５４】
また、アプリケーション制御部１７１は、領域Ｒ１を端部領域Ｔ１へ移動させる指示が行なわれた後に、領域Ｒ１への選択が維持された状態において、端部領域Ｔ１に対応付けて記憶されるメモ帳アプリケーションに対応するアイコンＡ１を表示させる（画面Ｄ５）。これにより、携帯電話機１は、端部領域に対応付けて記憶される文字入力アプリケーションそれぞれに対応するアイコンを表示させるため、ユーザは、表示されたアイコンを視認することにより、どのような文字入力アプリケーションが起動するのかを直感的に認識することができる。
【００５５】
また、アプリケーション制御部１７１は、起動したメモ帳アプリケーションが終了した場合に、領域Ｒ１が選択される直前に表示されていた文字又は画像を表示部１１に表示させる（画面Ｄ１）。これにより、携帯電話機１は、起動した文字入力アプリケーションが終了した後にも接触が検出される直前に表示されていた文字又は画像が表示されるため、ユーザの利便性を向上させることができる。
【００５６】
また、携帯電話機１は、タッチペン１８に替えて、方向を指定する物理的又は仮想的なキーを更に備え、アプリケーション制御部１７１は、選択された文字又は画像を物理的又は仮想的なキーの操作により移動させる指示を行なわせてもよい。これにより、携帯電話機１は、物理的又は仮想的なキーの操作を用いた場合であっても、簡易な操作により文字入力アプリケーションを選択することができる。
【００５７】
また、アプリケーション制御部１７１は、文字又は画像に対する接触が検出部１２により検出されると、当該文字又は当該画像を選択させ、選択された文字又は画像に対する接触が維持された状態において、当該接触の移動が検出部１２により検出されると、文字又は画像を移動させる指示を行なわせる（画面Ｄ４）。これにより、ユーザは、より簡易かつ直感的な操作により文字入力アプリケーションを選択することができる。
【００５８】
また、上述したように、表示部１１に表示されている文字又は画像は、手書き文字入力部１７２により入力された文字又は画像である。これにより、携帯電話機１は、表示部１１への接触に応じて入力された手書き文字を、起動させた文字入力アプリケーションに入力させるため、より直感的で簡易な操作により文字入力アプリケーションを起動させることができる。また、携帯電話機１は、起動させた文字入力アプリケーションには手書き文字が入力されるため、文字入力アプリケーションを起動させる際におけるユーザの利便性を更に向上させることができる。
【００５９】
また、上述したように、手書き文字入力部１７２は、領域指定部１７３により指定された領域Ｒ１内に手書き文字を入力させる。これにより、携帯電話機１は、指定された領域Ｒ１内の手書き文字を文字入力アプリケーションに入力させるため、より直感的な操作で文字入力アプリケーションに文字を入力させることができる。
【００６０】
次に、第１実施形態において、表示部１１に表示されている文字を利用してアプリケーションを起動させる場合の処理について図４から図８を参照しながら説明する。
図４は、タッチペン１８によるタッチパネル１０への接触を検出部１２により検出する処理を示すフローチャートである。
ステップＳ１において、アプリケーション制御部１７１は、タッチペン１８によるタッチパネル１０への接触を検出部１２により検出する。
ステップＳ２において、アプリケーション制御部１７１は、接触された位置がピクト領域Ｐを表示している位置であるか否かを判定する。ピクト領域Ｐを表示している位置である場合（ＹＥＳ）には、ステップＳ３へ進む。ピクト領域Ｐを表示している位置でない場合（ＮＯ）には、ステップＳ４へ進む。
【００６１】
ステップＳ３において、アプリケーション制御部１７１は、手書き文字を入力するための領域指定を行う。領域指定が行われた後に、当該領域内に手書き文字を入力することが可能となる。
ステップＳ４において、アプリケーション制御部１７１は、既に起動しているアプリケーションに対する処理を行う。例えば、既にブラウザアプリケーションが起動していれば、ブラウザアプリケーションにおける項目の選択等を行うことが可能となる。
【００６２】
図５から図８は、アプリケーション制御部１７１による処理を示すフローチャートである。
ステップＳ１１において、アプリケーション制御部１７１は、ステップＳ３において送信されたタッチペン１８によるイベントを受信する。
【００６３】
ステップＳ１２において、アプリケーション制御部１７１は、タッチペン１８によるイベントの内容を判定する。具体的には、アプリケーション制御部１７１は、タッチペン１８によるイベントが、タッチペン１８の接触が検出された場合、タッチペン１８の接触が検出されたままタッチペン１８がタッチパネル１０上で動かされた場合、又はタッチペン１８がタッチパネル１０から離れた場合のいずれかであるかを判定する。
【００６４】
そして、アプリケーション制御部１７１は、タッチペン１８の接触が検出された場合には、ステップＳ１３へ進み（図６参照）、タッチペン１８の接触が検出されたままタッチペン１８がタッチパネル１０上で動かされた（スライドが検出された）場合には、ステップＳ１９（図７参照）へ進み、タッチペン１８がタッチパネル１０から離れた場合には、ステップＳ２５（図８参照）へ進む。
【００６５】
ステップＳ１３において、アプリケーション制御部１７１は、領域指定部１７３により領域が指定されていない状態であるか、すなわち、領域指定部１７３の状態が初期状態であるか否かを判定する。初期状態である場合（ＹＥＳ）には、ステップＳ１４へ進む。初期状態でない場合（ＮＯ）には、ステップＳ１５へ進む。
【００６６】
ステップＳ１４において、アプリケーション制御部１７１は、手書き文字認識用アプリケーションを起動させて、領域指定部１７３により領域を指定可能な状態に設定する。
ステップＳ１５において、アプリケーション制御部１７１は、タッチペン１８による接触が領域指定部１７３により指定された領域の枠であるか否かを判定する。領域指定部１７３により指定された領域の枠である場合（ＹＥＳ）には、ステップＳ１６へ進む。領域指定部１７３により指定された領域の枠でない場合（ＮＯ）には、ステップＳ１７へ進む。
【００６７】
ステップＳ１６において、アプリケーション制御部１７１は、領域指定部１７３により指定された領域及び領域内の手書き文字が一体となってタッチペン１８のドラッグにより移動可能な状態に設定する。
【００６８】
ステップＳ１７において、アプリケーション制御部１７１は、指定された領域内であるか否かを判定する。指定された領域内である場合（Ｙｅｓ）には、ステップＳ１８へ進む。指定された領域内でない場合（Ｎｏ）には、処理を終了する。
【００６９】
ステップＳ１８において、アプリケーション制御部１７１は、領域指定部１７３により指定された領域を手書き文字入力部１７２による手書き文字の入力が可能な状態に設定する。
【００７０】
ステップＳ１９において、アプリケーション制御部１７１は、タッチペン１８によるイベントの内容を判定する。具体的には、アプリケーション制御部１７１は、領域指定部１７３により領域を指定可能な状態である場合には、ステップＳ２０へ進み、領域及び領域内の手書き文字がタッチペン１８のドラッグにより移動可能な状態である場合には、ステップＳ２３へ進み、指定された領域を手書き文字入力部１７２による手書き文字の入力が可能な状態である場合には、ステップＳ２４へ進む。
【００７１】
ステップＳ２０において、領域指定部１７３は、手書き文字認識用アプリケーションを起動させて、タッチペン１８によって表示部１１に描かれた軌跡を検出部１２により検出する。そして、領域指定部１７３は、検出された軌跡によって囲まれる領域を描画処理して、手書き文字を入力可能な領域として指定する。
【００７２】
ステップＳ２１において、アプリケーション制御部１７１は、領域指定部１７３により指定された領域の範囲が確定されたか否かを判定する。領域の範囲が確定された場合（ＹＥＳ）には、ステップＳ２２へ進む。領域の範囲が確定されない場合（ＮＯ）には、処理を終了する。
【００７３】
ステップＳ２２において、アプリケーション制御部１７１は、領域指定部１７３により指定された領域の範囲が確定された状態を維持する。
ステップＳ２３において、アプリケーション制御部１７１は、領域指定部１７３により指定された領域及び領域内の手書き文字がタッチペン１８のドラッグにより移動する状態を表す画像を、手書き文字認識用アプリケーションにより描画処理させる。
【００７４】
ステップＳ２４において、アプリケーション制御部１７１は、手書き文字入力部１７２により入力された手書き文字の画像を手書き文字認識用アプリケーションにより描画処理させる。
【００７５】
ステップＳ２５において、アプリケーション制御部１７１は、タッチペン１８によるイベントの内容を判定する。具体的には、アプリケーション制御部１７１は、領域指定部１７３により領域を指定可能な状態である場合には、ステップＳ２６へ進み、領域及び領域内の手書き文字がタッチペン１８のドラッグにより移動可能な状態である場合には、ステップＳ２９へ進み、指定された領域を手書き文字入力部１７２による手書き文字の入力が可能な状態である場合には、ステップＳ３４へ進む。
【００７６】
ステップＳ２６において、アプリケーション制御部１７１は、領域指定部１７３により指定された領域の範囲が確定されたか否かを判定する。領域の範囲が確定された場合（ＹＥＳ）には、ステップＳ２７へ進む。領域の範囲が確定されない場合（ＮＯ）には、ステップＳ２８へ進む。
【００７７】
ステップＳ２７において、アプリケーション制御部１７１は、領域指定部１７３により指定された領域を手書き文字入力部１７２による手書き文字の入力が可能な状態に設定する。
ステップＳ２８において、アプリケーション制御部１７１は、領域指定部１７３により領域が指定されていない状態、すなわち、領域指定部１７３の状態を初期状態に設定する。
【００７８】
ステップＳ２９において、アプリケーション制御部１７１は、いずれかの端部領域と対応付けられた文字入力アプリケーションのアイコンが表示部１１に表示されているか否かを判定する。アイコンが表示されている場合（ＹＥＳ）には、ステップＳ３０へ進む。アイコンが表示されていない場合（ＮＯ）には、再度ステップＳ２５へ戻る。
【００７９】
ステップＳ３０において、アプリケーション制御部１７１は、領域指定部１７３により指定された領域がタッチペン１８の操作によって、文字入力アプリケーションのアイコンのいずれかにドラッグされ、かつアイコンがいずれかの文字入力アプリケーションと対応付けられているか否かを判定する。アイコンが文字入力アプリケーションと対応付けられている場合（ＹＥＳ）には、ステップＳ３１へ進む。アイコンが文字入力アプリケーションと対応付けられていない場合（ＮＯ）には、ステップＳ３４へ進む。
【００８０】
ステップＳ３１において、手書き文字入力部１７２は、手書き文字認識用アプリケーションによって、検出された軌跡と手書き文字認識用データベースに記憶される文字とのパターンマッチングを行い、最も認識率の高い文字をテキストデータに変換する。
【００８１】
ステップＳ３２において、手書き文字入力部１７２は、変換後のテキストデータをアイコンと対応付けられている文字入力アプリケーションに送信する。
ステップＳ３３において、アプリケーション制御部１７１は、領域指定部１７３により領域が指定されていない状態、すなわち、領域指定部１７３の状態を初期状態に設定する。
【００８２】
ステップＳ３４において、アプリケーション制御部１７１は、領域指定部１７３により指定された領域を手書き文字入力部１７２による手書き文字の入力が可能な状態に設定する。
ステップＳ３５において、手書き文字入力部１７２は、タッチペン１８により描かれた軌道の入力を確定する。
【００８３】
このように第１実施形態の携帯電話機１によれば、アプリケーション制御部１７１は、表示部１１に表示されている文字又は画像を用いた直感的な操作によって文字入力アプリケーションを起動させて、選択されている文字又は画像を文字入力アプリケーションに入力させることができる。
【００８４】
＜第２実施形態＞
次に、本発明の携帯電子機器に係る第２実施形態について説明する。第２実施形態については、主として、第１実施形態とは異なる点を説明し、第１実施形態と同様の構成について同一符号を付し、説明を省略する。第２実施形態について特に説明しない点については、第１実施形態についての説明が適宜適用される。
【００８５】
第２実施形態に係る携帯電話機１は、文字又は画像を端部領域へ移動させる指示に替えて、文字又は画像を所定方向へ移動させる指示を行う点が第１実施形態とは異なる。
【００８６】
すなわち、アプリケーション制御部１７１は、表示部１１に文字又は画像が表示されている状態において、文字又は画像のいずれかが選択された後に、文字又は画像を所定方向へ移動させる指示（例えば、右方向への摺動操作）が行なわれると、当該所定方向に対応付けて記憶される文字入力アプリケーションを起動させて、選択された文字又は画像を入力させる。
【００８７】
また、記憶部１６には、表示部１１の所定方向へのいずれかと文字入力アプリケーションとを対応付けて記憶する。
【００８８】
具体的には、記憶部１６には、例えば、表示部１１の右方向への摺動操作とメモ帳アプリケーションとが対応付けられ、表示部１１の左方向への摺動操作と電子メールアプリケーションとが対応付けられ、表示部１１の上方向への摺動操作とテキスト編集用アプリケーションとが対応付けられ、表示部１１の下方向への摺動操作とブラウザアプリケーションとが対応付けられる。
【００８９】
このように携帯電話機１において、ユーザは選択された文字又は画像を所定方向へ移動させる指示を行うことにより、端部領域に対応付けて記憶される文字入力アプリケーションを起動させて、選択された文字又は画像を入力させることができる。したがって、ユーザは簡易かつ直感的な操作により所定方向に対応付けて記憶される文字入力アプリケーションを選択することができる。
【００９０】
図９は、第２実施形態に係る表示部１１に表示される画面遷移例を示す図である。
図３の画面Ｄ１１においては、ブラウザアプリケーションが起動しており、画像Ｆ１が表示部１１に表示されている。
【００９１】
図９の画面Ｄ１１において、領域指定部１７３は、タッチペン１８によるピクト領域Ｐへの接触が検出部１２により検出された場合（画面Ｄ１１）、手書き文字認識用アプリケーションを起動させて、タッチペン１８によって表示部１１に描かれた軌跡を検出部１２により検出する（画面Ｄ１２）。領域指定部１７３は、検出された軌跡によって囲まれる領域を、手書き文字認識用アプリケーションにより手書き文字を入力可能な領域Ｒ１として指定する。
手書き文字入力部１７２は、領域指定部１７３により指定された領域Ｒ１内において、タッチペン１８によって描かれた軌跡を検出部１２により検出する。
【００９２】
そして、手書き文字入力部１７２は、タッチペン１８によって表示部１１に描かれた軌跡が特定の範囲を囲むことにより、描かれた軌跡の範囲を確定させる（画面Ｄ１３）。
【００９３】
画面Ｄ１３において、アプリケーション制御部１７１は、手書き文字入力部１７２により手書き文字「あいうえ」が入力されている領域Ｒ１に対する接触が検出部１２により検出されることに応じて、認識された文字「あいうえ」を選択する。
【００９４】
アプリケーション制御部１７１は、領域Ｒ１への選択が維持された状態において、領域指定部１７３により指定された領域Ｒ１がタッチペン１８の操作によって表示部１１の右側方向へ摺動させる指示（いわゆるフリック又はスワイプ）が行われると、右側方向への摺動に対応付けて記憶されているメモ帳アプリケーションのアイコンＡ１、すなわち、メモ帳アプリケーションを起動させるためのランチャーが動的に表示される（画面Ｄ１４）。
【００９５】
このように携帯電話機１は、所定方向に対応付けて記憶される文字入力アプリケーションそれぞれに対応するアイコンを表示させるため、ユーザは、表示されたアイコンを視認することにより、どのような文字入力アプリケーションが起動するのかを直感的に認識することができる。
【００９６】
画面Ｄ１４において、アプリケーション制御部１７１は、タッチペン１８による表示部１への接触が解除されたことが検出部１２により検出されると、すなわち、領域Ｒ１への選択が解除されると、右側方向への摺動に対応付けて記憶される文字入力アプリケーションを起動させて、領域Ｒ１において認識された文字「あいうえ」を入力させる（画面Ｄ１５）。携帯電話機１は、文字又は画像への選択が解除されることにより、所定方向に対応付けて記憶される文字入力アプリケーションを起動させるため、より直感的な操作で文字入力アプリケーションを起動させることができる。
【００９７】
また、アプリケーション制御部１７１は、起動したメモ帳アプリケーションが終了した場合に、領域Ｒ１が選択される直前に表示されていた文字又は画像を表示部１１に表示させる（画面Ｄ１１）。
【００９８】
以上、本発明の実施形態について説明したが、本発明は上述した実施形態に制限されるものではなく、適宜変更が可能である。
例えば、端部領域や所定方向に対応付けられるアプリケーションは、ユーザが設定してもよく、予め設定されていてもよい。また、端部領域又は所定方向への摺動操作と電子メールアプリケーションが対応付けられている場合において、選択された文字にアドレス帳の宛先が含まれている場合には、選択された文字に対応するアドレス帳の宛先を、起動された電子メールアプリケーションの宛先欄に、入力させてもよい。
【００９９】
図１０は、表示部１１の各端部領域（又は各所定方向）に対応付けられている文字入力アプリケーションのアイコンを示す画面例である。図１０に示す画面例において、表示部１１の右側の端部領域には、メモ帳アプリケーションが対応付けられており、メモ帳アプリケーションのアイコンＢ１が表示可能となっている。また、表示部１１の上側の端部領域には、テキスト編集（テキストエディタ）アプリケーションが対応付けられており、テキスト編集アプリケーションのアイコンＢ２が表示可能となっている。また、表示部１１の左側の端部領域には、電子メールアプリケーションが対応付けられており、電子メールアプリケーションのアイコンＢ３が表示可能となっている。また、表示部１１の下側の端部領域には、ブラウザアプリケーションが対応付けられており、ブラウザアプリケーションのアイコンＢ４が表示可能となっている。なお、図１０は、各アイコンＢ１〜Ｂ４の例について示す図であり、実際には、各アイコンＢ１〜Ｂ４は、同時に表示部１１に表示されることはなく、１つずつ表示される。
【０１００】
図１１は、図１０に示す各端部領域に対応付けられている文字入力アプリケーションの設定画面を示す画面例である。図１１に示すように、設定画面において、制御部１７は、各端部領域（上側、下側、左側、右側）と、各端部領域に対応付けることが可能な文字入力アプリケーションとを表示部１１に表示させる。そして、制御部１７は、各端部領域に対応付けることが可能な文字入力アプリケーションを、ユーザによる任意の選択に応じて設定する。例えば、図１０において、制御部１７は、右側の端部領域に設定されているメモ帳アプリケーションがユーザの選択によりＴｗｉｔｔｅｒ（登録商標）用アプリケーションに設定（変更）される。そして、制御部１７は、メモ帳アプリケーションのアイコンに替えて、右側の端部領域に対応付けられるＴｗｉｔｔｅｒ（登録商標）用アプリケーションを表示部１１に表示可能な状態に設定にする。
【０１０１】
また、上述した実施形態では、手書き文字入力部１７２は、領域指定部１７３により領域を指定した後に、手書き文字入力部１７２によりタッチペン１８によって描かれた軌跡（文字又は画像）を検出したが、手書き文字入力部１７２によりタッチペン１８によって描かれた軌跡（文字又は画像）を検出した後に、領域指定部１７３により領域を指定してもよい。
【０１０２】
また、上述した実施形態では、ブラウザアプリケーションが起動しており、画像Ｆ１が表示部１１に表示されている例について説明したが、他のアプリケーションが起動している状態からでも本発明を適用可能であり、また待ち受け画面が表示されている状態からでも本発明を適用可能である。
【０１０３】
また、上述した実施形態において、携帯電子機器としての携帯電話機１について説明したが、他の携帯電子機器にも適用可能である。例えば、本発明の携帯電子機器は、デジタルカメラ、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【符号の説明】
【０１０４】
１  携帯電話機（携帯電子機器）
１０  タッチパネル
１１  表示部
１２  検出部
１７  制御部
１７１  アプリケーション制御部
１７２  手書き入力部
１７３  領域指定部
【図１】
0005739131.tif 000002
【図２】
0005739131.tif 000003
【図３】
0005739131.tif 000004
【図４】
0005739131.tif 000005
【図５】
0005739131.tif 000006
【図６】
0005739131.tif 000007
【図７】
0005739131.tif 000008
【図８】
0005739131.tif 000009
【図９】
0005739131.tif 000010
【図１０】
0005739131.tif 000011
【図１１】
0005739131.tif 000012